(57)【要約】【課題】表示部及び支持部を相対回動させてメンテナンスを行うとき、表示部と支持部との間の開放された空間に塵埃が侵入するのを防ぎ得る防塵具、及び表示装置を提供する。【解決手段】表示部１と、表示部１の一側部に前後方向への相対回動を可能に枢支され、表示部１を支持する光源２と、メンテナンスにより表示部１及び光源２が相対回動した際、表示部１及び光源２間の空間を被覆する被覆シートと、被覆シートの展開を可能に保持するロール５１及び第２ロール５２と、ロール５１を収納するケース６１と、第２ロール５２を収納する第２ケース６２とを備え、ケース６１を光源２に取付けて，メンテナンスにより表示部１及び光源２が相対回動した際、表示部１及び光源２間の空間を被覆シートで被覆するようにした。【選択図】図６
2009272950.tif 000002
【特許請求の範囲】
【請求項１】
複数の部材間の空間を被覆すべき被覆シートと、該被覆シートの展開を可能に保持する保持体と、該保持体を収納するケースとを備えることを特徴とする防塵具。
【請求項２】
前記保持体は、前記被覆シートの複数部位に結合されている複数本の杆部材を有し、該杆部材夫々の一端を前記ケース内に枢支してある請求項１記載の防塵具。
【請求項３】
前記ケースは前記部材に取付けられる取付部を有する請求項１又は２記載の防塵具。
【請求項４】
前記ケースは周面の一部が開放された略筒形をなし、該ケースの長手方向一端部に、該ケースの長手方向と交差する方向へ連なる第２ケースを有し、該第２ケース内に前記被覆シートの一部を収納してある請求項１〜３のいずれか一つに記載の防塵具。
【請求項５】
前記保持体は、前記被覆シートを巻回するロールを有する請求項１記載の防塵具。
【請求項６】
前記ロールは円錐台形をなしている請求項５記載の防塵具。
【請求項７】
前記被覆シートの前記第２ケース内への収納部分を巻回する第２ロールを有する請求項４記載の防塵具。
【請求項８】
前記ロール及び／又は第２ロールを前記被覆シートが巻回される方向へ付勢する付勢ばねを有する請求項５又は７記載の防塵具。
【請求項９】
複数の部材間の空間を被覆すべき被覆シートと、伸縮を可能に連結された複数本の柱形部材を有し、該柱形部材夫々に前記被覆シートの展開を可能に保持してある保持体とを備えることを特徴とする防塵具。
【請求項１０】
前記保持体は長手方向両端部に、前記部材に取付けられる取付部を有する請求項９記載の防塵具。
【請求項１１】
前側に表示面を有する表示部と、該表示部の一縁に前後方向への相対回動を可能に枢支され、前記表示部を支持する支持部とを備える表示装置において、前記表示部及び支持部間の空間を被覆すべき被覆シートと、該被覆シートの展開を可能に収納する収納部とを備えることを特徴とする表示装置。
【請求項１２】
前記被覆シートの複数部位に結合されている可撓杆を備え、該可撓杆の一端を前記収納部に取付けてある請求項１１記載の表示装置。
【請求項１３】
前側に表示面を有する表示部と、該表示部の一縁に前後方向への相対回動を可能に枢支され、前記表示部を支持する支持部とを備える表示装置において、前記表示部と支持部との間の空間を被覆すべき被覆シート及び該被覆シートの展開を可能に保持する保持体を有する防塵具が取付けられる被取付部を前記表示部及び支持部の少なくとも一方に設けてあることを特徴とする表示装置。
【請求項１４】
前記表示部は、パネル及び該パネルの周縁部を被覆する前キャビネットを有し、前記支持部は、前記表示部へ光を照射する光源及び該光源の後側を被覆する後キャビネットを有し、前記収納部は前記前キャビネット及び／又は後キャビネットに設けてある請求項１３記載の表示装置。
【発明の詳細な説明】
【技術分野】
【０００１】
本発明は液晶テレビジョン等の表示装置に装備される防塵具、及び液晶テレビジョン等の表示装置に関する。
【背景技術】
【０００２】
前側に表示面を有する表示装置は、中央に開口部を有する額縁状ハウジングの前記開口部に配され、パネルを有する表示部と、該表示部の後側に配され、表示部の表示内容を制御する制御部とを、前記額縁状ハウジングの一側部に前後方向への相対回動を可能に枢支し、表示部及び／又は制御部を回動させることにより、該表示部及び／又は制御部のメンテナンスを容易に行うことができるように構成されている（例えば、特許文献１参照）。
【０００３】
また、テレビジョン等の表示装置は、益々大型化の一途をたどっており、質量が重くなっているため、表示装置の全体を搬送してメンテナンスを行うことは困難である。因って、表示装置のランプ交換等のメンテナンスは、設置現場にて行われる。
【特許文献１】特開２００２−７２９１７号公報
【発明の開示】
【発明が解決しようとする課題】
【０００４】
ところで、テレビジョン等の表示装置において、メンテナンスの容易性を考慮して、例えば前側に表示面を有する表示部及び該表示部を支持する支持部を前後方向へ相対回動を可能に構成した場合、メンテナンスを行うべく表示部及び支持部が前後方向へ相対回動されたとき、表示部と支持部との間が外部に大きく開放されることになる。
【０００５】
ところが、表示装置の設置現場は、クリーンルーム等の無塵の空間でないため、メンテナンスを行うべく表示部と支持部との間が開放されたとき、設置現場の塵埃が表示部及び支持部間に侵入することになり、この侵入した塵埃が、表示面での表示ムラの原因になるため、改善策が要望されていた。
【０００６】
本発明は斯かる事情に鑑みてなされたものであり、主たる目的は複数の部材間の空間を被覆すべき被覆シートと、該被覆シートを展開を可能に保持する保持体と、該保持体を収納するケースとを備えることにより、複数の部材間を開放させてメンテナンスを行うとき、前記ケースを前記部材に取付けて被覆シートを展開させることにより、部材間の開放された空間を被覆シートが被覆し、塵埃の侵入を防ぎ得る防塵具、及び表示装置を提供することにある。
【課題を解決するための手段】
【０００７】
本発明に係る防塵具は、複数の部材間の空間を被覆すべき被覆シートと、該被覆シートの展開を可能に保持する保持体と、該保持体を収納するケースとを備えることを特徴とする。
【０００８】
この発明にあっては、複数の部材間を開放させてメンテナンスを行うとき、ケースを前記部材に取付けて被覆シートを展開させることにより、部材間の開放された空間を被覆シートにより被覆することができ、開放された空間に塵埃が侵入するのを防ぐことが可能である。また、メンテナンスが終了した後、ケースを取外すことにより被覆シート及び保持体をケース内に収納することができるため、防塵具の嵩を低くでき、取扱性を高めることができる。
【０００９】
また、本発明に係る防塵具は、前記保持体は、前記被覆シートの複数部位に結合されている複数本の杆部材を有し、該杆部材夫々の一端を前記ケース内に枢支してある構成とするのが好ましい。
この発明にあっては、被覆シートの展開とともに杆部材を揺動させることができ、また、被覆シートのすぼみとともに杆部材を揺動させることができるため、被覆シートの取扱性を高めることができ、しかも、展開時の被覆シートの途中を吊下げることができるため、被覆シート内側の空間容積を多くすることができ、複数の部材間のメンテナンス性を高めることができる。
【００１０】
また、本発明に係る防塵具は、前記ケースは前記部材に取付けられる取付部を有する構成とするのが好ましい。
この発明にあっては、ケースの取付部を前記部材に取付けることができるため、ケースの取付／取外しを簡易にでき、また、メンテナンス時に防塵具が落下するのを防ぐことができ、メンテナンス時の安全性を高めることができる。
【００１１】
また、本発明に係る防塵具は、前記ケースは周面の一部が開放された略筒形をなし、該ケースの長手方向一端部に、該ケースの長手方向と交差する方向へ連なる第２ケースを有し、該第２ケース内に前記被覆シートの一部を収納してある構成とするのが好ましい。
この発明にあっては、被覆シートの、前記開放された空間の上側を被覆するシート部分をケースに収納し、前記開放された空間の横側を被覆するシート部分を第２ケースに収納することができるため、被覆シートの展開、収納を簡易に行うことができる。
【００１２】
また、本発明に係る防塵具は、前記保持体は、前記被覆シートを巻回するロールを有する構成とするのが好ましい。
この発明にあっては、ロールに巻回されている被覆シートを容易に展開することができるとともに、展開されている被覆シートを、ロールを回転操作することにより容易に巻回することができる。
【００１３】
また、本発明に係る防塵具は、前記ロールは円錐台形をなしている構成とするのが好ましい。
この発明にあっては、ロール一回転当たりの被覆シートの巻取り長さを、ロールの一端側で短くし、他端側で長くすることができるため、回動を可能に枢支された複数の部材間の空間を被覆する場合であっても、被覆シートをスムーズに展開／巻回することができる。
【００１４】
また、本発明に係る防塵具は、前記被覆シートの前記第２ケース内への収納部分を巻回する第２ロールを有する構成とするのが好ましい。
この発明にあっては、被覆シートの、前記開放された空間の上側を被覆するシート部分をロールに巻回し、前記開放空間の横側を被覆する部分を第２ロールに巻回することができるため、被覆シートの展開、収納を簡易に行うことができる。
【００１５】
また、本発明に係る防塵具は、前記ロール及び／又は第２ロールを前記被覆シートが巻回される方向へ付勢する付勢ばねを有する構成とするのが好ましい。
この発明にあっては、メンテナンスが終了した後、複数の部材の相対回動に伴ってロール及び／又は第２ロールを自動的に回転させることができ、展開されている被覆シートを容易に巻回することができる。
【００１６】
また、本発明に係る防塵具は、複数の部材間の空間を被覆すべき被覆シートと、伸縮を可能に連結された複数本の柱形部材を有し、該柱形部材夫々に前記被覆シートの展開を可能に保持してある保持体とを備えることを特徴とする。
この発明にあっては、複数の部材が比較的大型であっても、保持体の長さを比較的短くすることができ、被覆シートをコンパクトにすぼませることができ、防塵具の全体を小型化できる。
【００１７】
また、本発明に係る防塵具は、前記保持体は長手方向両端部に、前記部材に取付けられる取付部を有する構成とするのが好ましい。
この発明にあっては、伸長された柱形部材の一方端と、他方端とを前記部材に取付けることができるため、保持体の伸長状態を維持することができる。
【００１８】
また、本発明に係る表示装置は、前側に表示面を有する表示部と、該表示部の一縁に前後方向への相対回動を可能に枢支され、前記表示部を支持する支持部とを備える表示装置において、前記表示部及び支持部間の空間を被覆すべき被覆シートと、該被覆シートの展開を可能に収納する収納部とを備えることを特徴とする。
この発明にあっては、被覆シートが収納されているため、表示装置のメンテナンスを行うとき、防塵具を携行することなく、表示部及び支持部を相対回動させつつ該表示部及び支持部の間の開放された空間を被覆することができ、メンテナンスの作業性を高めることができる。
【００１９】
また、本発明に係る表示装置は、前記被覆シートの複数部位に結合されている可撓杆を備え、該可撓杆の一端を前記収納部に取付けてある構成とするのが好ましい。
この発明にあっては、被覆シートの展開とともに可撓杆を伸長させることができ、また、被覆シートのすぼみとともに可撓杆を撓ませることができるため、被覆シートの取扱性を高めることができ、しかも、展開時の被覆シートの途中を吊下げることができるため、被覆シート内側の空間容積を多くすることができ、表示装置のメンテナンス性を高めることができる。
【００２０】
また、本発明に係る表示装置は、前側に表示面を有する表示部と、該表示部の一縁に前後方向への相対回動を可能に枢支され、前記表示部を支持する支持部とを備える表示装置において、前記表示部と支持部との間の空間を被覆すべき被覆シート及び該被覆シートの展開を可能に保持する保持体を有する防塵具が取付けられる被取付部を前記表示部及び支持部の少なくとも一方に設けてあることを特徴とする。
この発明にあっては、表示装置のメンテナンスを行うとき、防塵具を被取付部に取付けることができるため、防塵具から被覆シートを簡易に展開させることができ、メンテナンスの作業性を高めることができる。また、表示装置のメンテナンスが終了した後、防塵具を被取付部から簡易に取外すことが可能であるため、表示装置を大型にすることなくメンテナンス時に防塵することができる。
【００２１】
また、本発明に係る表示装置は、前記表示部は、パネル及び該パネルの周縁部を被覆する前キャビネットを有し、前記支持部は、前記表示部へ光を照射する光源及び該光源の後側を被覆する後キャビネットを有し、前記収納部は前記前キャビネット及び／又は後キャビネットに設けてある構成とするのが好ましい。
この発明にあっては、前キャビネット及び／又は後キャビネットに設けてある収納部を前キャビネット及び後キャビネット間で隠蔽することができるため、メンテナンスの作業性を高めることができる表示装置の品位を向上できる。
【発明の効果】
【００２２】
本発明によれば、複数の部材間を開放させてメンテナンスを行うとき、部材間の開放された空間を被覆シートにより被覆することができ、塵埃が前記開放された空間へ侵入するのを防ぎ得るため、防塵対策を簡易にできるとともに、メンテナンス作業を効率的に行うことができる。
【発明を実施するための最良の形態】
【００２３】
以下本発明をその実施の形態を示す図面に基づいて詳述する。
実施の形態１
図１は本発明に係る表示装置の表示部及び支持部が相対回動している状態を示す模式的斜視図、図２は防塵具が取付けられる部位の構造を示す断面図である。
【００２４】
図示した表示装置Ａは、テレビ画像を表示する表示面を前側に有し、前面視矩形状をなす表示部１と、該表示部１の後側に配され、表示部１へ光を照射する光源２と、該光源２を起立状態で支持してあるスタンド３とを備え、表示部１及び光源２の一側部同士が前後方向への回動を可能に枢支部１０により枢支されている薄型の液晶テレビジョン、換言すると薄型液晶表示装置である。尚、光源２が支持部を構成している。
【００２５】
表示部１は、表示面１１ａを有する表示パネル１１と、該表示パネル１１の周縁部を前後で保持する保持枠体と、内側の保持枠体の後側に配されている拡散板等の光学シートと、該光学シートの後側に配され、該光学シートを支持している支持枠体と、表示面１１ａに対応する個所が開放され、前記保持枠体及び支持枠体の周縁部を取り囲む前キャビネット１２とを有する。
【００２６】
前キャビネット１２は前面視矩形状をなし、上辺部と、一方の側辺部とに、鉤孔状の第１及び第２の被取付部１２ａ，１２ｂが設けられており、他方の側辺部の上下部位後側に第１連結部１０ａが設けられている。また、一方の側辺部の下部にキャスタ１３が設けられている。
【００２７】
光源２は、上下に離隔して並置される複数本のランプ２１と、前方へ開放されている略直方体をなし、ランプ２１を収容して支持するランプケース２２と、該ランプケース２２内にランプ２１の並置間隔で取付けられ、ランプ２１の両端部を保持する複数のコネクタと、ランプケース２２の後面に取付けられている回路基板と、ランプケース２２の周縁部及び後側を被覆する深皿状の後キャビネット２３とを有する。
【００２８】
ランプ２１は両端に二つの凸端子を有する熱陰極管又は冷陰極管である。前記コネクタ夫々は電源に接続され、ランプ２１の凸端子に対応する凹端子を有する。
【００２９】
後キャビネット２３は前面視矩形状をなし、上辺部に、鉤孔状の第３の被取付部２３ａが設けられており、また、枢支される側の側辺部の上下部位前側に第２連結部１０ｂが設けられており、第１連結部１０ａ及び第２連結部１０ｂが枢軸により前後方向への相対回動を可能に枢支されている。
【００３０】
以上のように構成された表示装置Ａの前キャビネット１２及び後キャビネット２３には防塵具Ｂが取付けられる。
【００３１】
図３は防塵具Ｂの構成を示す模式的斜視図、図４は防塵具Ｂの構成を示す模式的分解斜視図、図５は表示装置Ａに取付けられる部位の構造を示す断面図である。
【００３２】
防塵具Ｂは、表示部１及び光源２間の開放される空間を被覆する被覆シート４と、該被覆シート４の一部を巻回するロール５１と、被覆シート４の他の一部を巻回する第２ロール５２と、ロール５１を回転可能に収納し、後キャビネット２３の上辺部に取付けられるケース６１と、第２ロール５２を回転可能に収納し、後キャビネット２３の一方の側辺部に配される第２ケース６２と、ロール５１及び第２ロール５２を巻回する方向へ付勢する付勢ばね７，７と、前キャビネット１２の上辺部に取付けられるシート止部材８１と、前キャビネット１２の側辺部に取付けられるシート止部材８２とを備える。尚、ロール５１及び第２ロール５２が保持体を構成している。
【００３３】
被覆シート４は柔軟性、及び透光性を有する合成樹脂シートであり、前後方向へ相対回動した表示部１及び光源２の間に開放される開放空間に上側を被覆する略三角形状をなす上シート部４１と、該上シート部４１の一辺に連なり、前記開放空間の横側を被覆する四角形状をなす横シート部４２とにより断面略Ｌ字形に形成されている。
【００３４】
上シート部４１の非連なり辺の一つがロール５１の周面に溶着等の結合手段により結合され、他の一つがシート止部材８１に結合され、ロール５１に巻取られている。横シート部４２は連なり部と隣合う二辺の一つが第２ロール５２の周面に溶着等の結合手段により結合され、他の一つがシート止部材８２に結合され、第２ロール５２に巻取られている。
【００３５】
ロール５１は一端側（枢支部１０側）が小径であり、他端側が漸次大径となる円錐台形をなし、ロール５１が一回転する当たりの上シート部４１の巻取り長さを異ならせ、上シート部４１を円滑に巻取ることができるように構成されている。第２ロール５２は円柱形をなし、ロール５１が一回転する当たりの横シート部４２の巻取り長さを均等にできるように構成されている。
【００３６】
ケース６１は後キャビネット２３の上辺部の長さに対応する長さを有し、周面の一部が開放された略筒形、詳しくは断面が非円形の筒形に形成され、開放された一側に連なる扁平状の下部に、第３の被取付部２３ａに取付けられる凸状の取付部６１ａが設けられている。第２ケース６２は後キャビネット２３の側辺部の長さに対応する長さを有する略筒形、詳しくは断面が非円形の筒形に形成されている。
【００３７】
ケース６１の長手方向他端と、第２ケース６２の長手方向他端とには軸受孔が開設されており、一方の軸受孔にロール５１の一端が回転を自在に支持され、他方の軸受孔に第２ロール５２の一端が回転を自在に支持されている。また、ロール５１の一端及びケース６１間と、第２ロール５２の一端及び第２ケース６２間とに、渦巻状に巻回されている付勢ばね７，７が設けられており、被覆シート４が繰出される際は伸長方向へ弾性変形し、弾性復元力によりロール５１及び第２ロール５２を巻回方向へ回転させるように構成されている。また、ケース６１及び第２ケース６２の境界部にはロール５１及び第２ロール５２の抜出しを阻止する抜止部６０が設けられている。
【００３８】
シート止部材８１は、前キャビネット１２の上辺部の長さに対応する長さを有する角柱形に形成され、下面に、第１の被取付部１２ａに取付けられる凸状の取付部８１ａが設けられている。
【００３９】
シート止部材８２は、前キャビネット１２の側辺部の長さに対応する長さを有する角柱形に形成され、側面に、第２の被取付部１２ｂに取付けられる凸状の取付部８２ａが設けられている。
【００４０】
図６は表示装置Ａに防塵具Ｂを取付けてある状態を示す模式的斜視図、図７は防塵具Ｂと表示装置Ａの光源２との関係を示す模式的正面図である。
図１のように構成された表示装置Ａのメンテナンスが行われる際、図３〜図５に示す防塵具Ｂが使用される。この防塵具Ｂは、表示装置Ａの表示部１及び光源２が非回動の状態で前キャビネット１２及び後キャビネット２３に取付けられる。
【００４１】
図７矢印で示すようにケース６１を後キャビネット２３の上辺部に載置し、取付部６１ａを第３の被取付部２３ａに挿嵌しつつ前記上辺部の長手方向へスライドさせることにより、ケース６１及び該ケース６１と一体の第２ケース６２を後キャビネット２３に取付けることができ、また、シート止部材８１を前キャビネット１２の上辺部に載置し、取付部８１ａを第１の被取付部１２ａに挿嵌しつつ前記上辺部の長手方向へスライドさせることにより、シート止部材８１を前キャビネット１２に取付けることができ、また、シート止部材８２を前キャビネット１２の側辺部に接触させ、取付部８２ａを第２の被取付部１２ｂに挿嵌しつつ前記側辺部の長手方向へスライドさせることにより、シート止部材８２を前キャビネット１２に取付けることができる。
【００４２】
表示装置Ａのランプ交換等のメンテナンスを行うべく表示部１を図６に示すように光源２に対して前方へ回動させ、表示部１を開くと、被覆シート４に張力が加わり、ケース６１内のロール５１、及び第２ケース６２内の第２ロール５２に巻取られている被覆シート４が展開され、表示部１と光源２との間の開放空間を被覆することができ、換言すると開放空間の上側を上シート部４１が被覆し、開放空間の横側を横シート部４２が被覆し、外部の塵埃が前記開放空間に侵入するのを防ぐことができる。この状態で被覆シート４の下部を上方へめくりつつ前記開放空間へ作業者が入り、ランプ交換等のメンテナンスを行うことができる。
【００４３】
メンテナンスの終了後、表示部１を後方へ回動させると、被覆シート４の張力が減衰し、付勢ばね７，７の弾性復元力によりロール５１、第２ロール５２が回転し、被覆シート４の上シート部４１がロール５１に巻取られ、横シート部４２が第２ロール５２に巻取られる。表示部１が閉じられた後、ケース６１の取付けを解除し、シート止部材８１，６２の取付けを解除することにより、表示部１が閉じられた状態でケース６１、第２ケース６２，シート止部材８１，８２を取外すことができる。
【００４４】
実施の形態２
図８は防塵具Ｂが取付けられた表示装置Ａの他の構成を示す模式的斜視図である。この表示装置Ａは図１と同様に構成されており、前キャビネット１２の上辺部には第１の被取付部１２ａが設けられ、後キャビネット２３の上辺部には第３の被取付部２３ａが設けられている。
【００４５】
防塵具Ｂは、周面の一部が開放された略筒形、詳しくは断面が非円形の筒形をなす二つのケース６３，６３と、各ケース６３，６３の長手方向一端部に枢支され、二つのケース６３内に振り分けて収納されている複数本の杆部材５３と、該杆部材５３に結合されている被覆シート４とを備える。尚、杆部材５３が保持体を構成している。
【００４６】
一方のケース６３は前キャビネット１２の上辺部の長さに対応する長さを有する略筒形に形成され、開放された一側に連なる扁平状の下部に、第１の被取付部１２ａに取付けられる凸状の取付部が設けられている。他方のケース６３は後キャビネット２３の上辺部の長さに対応する長さを有する略筒形に形成され、開放された一側に連なる扁平状の下部に、第３の被取付部２３ａに取付けられる凸状の取付部が設けられている。
【００４７】
被覆シート４は柔軟性、及び透光性を有する合成樹脂シートであり、上シート部４１と横シート部４２とにより断面略Ｌ字形に形成されている。
【００４８】
上シート部４１の非連なり辺の一つは一方のケース６３内に溶着等の結合手段により結合され、他の一つは他方のケース６３内に結合されており、上シート部４１の途中が各杆部材５３に結合され、上シート部４１の約半分ずつが杆部材５３とともにケース６３，６３内に収納されている。
【００４９】
横シート部４２は、すぼませてケース６３，６３内に収納、又は、収納することなくケース６３，６３の長手方向に沿ってすぼませる。
【００５０】
一方のケース６３に枢支されている杆部材５３は、該杆部材５３に結合されている上シート部４１とともに一方のケース６３内に収納されており、他方のケース６３に枢支されている杆部材５３は、該杆部材５３に結合されている上シート部４１とともに他方のケース６３内に収納されている。
【００５１】
表示装置Ａのメンテナンスが行われる際、表示部１及び光源２が非回動の状態で前キャビネット１２及び後キャビネット２３に防塵具Ｂが取付けられる。
【００５２】
一方のケース６３を前キャビネット１２の上辺部に載置し、取付部を第１の被取付部１２ａに挿嵌しつつ前記上辺部の長手方向へスライドさせることにより、一方のケース６３を前キャビネット１２に取付けることができ、また、他方のケース６３を後キャビネット２３の上辺部に載置し、取付部を第３の被取付部２３ａに挿嵌しつつ前記上辺部の長手方向へスライドさせることにより、他方のケース６３を後キャビネット２３に取付けることができる。
【００５３】
表示装置Ａのランプ交換等のメンテナンスを行うべく表示部１を光源２に対して前方へ回動させ、表示部１を開くと、被覆シート４に張力が加わり、各杆部材５３が揺動し、被覆シート４が展開され、表示部１と光源２との間の開放空間を被覆することができ、外部の塵埃が前記開放空間に侵入するのを防ぐことができる。この状態で被覆シート４の下部を上方へめくりつつ前記開放空間へ作業者が入り、ランプ交換等のメンテナンスを行うことができる。
【００５４】
メンテナンスの終了後、表示部１を後方へ回動させると、杆部材５３を揺動させつつ被覆シート４をすぼませることができ、該被覆シート４を杆部材５３とともにケース６３，６３内に収納することができる。表示部１が閉じられた後、ケース６３，６３の取付けを解除することにより、表示部１が閉じられた状態でケース６３，６３を取外すことができる。
その他の構成及び作用は実施の形態１と同様であるため、同様の部品については同じ符号を付し、その詳細な説明及び作用効果の説明を省略する。
【００５５】
実施の形態３
図９は表示装置Ａの他の構成を示す模式的斜視図、図１０は防塵具Ｂの他の構成を示す模式的正面図、図１１は防塵具Ｂが取付けられた表示装置Ａの他の構成を示す模式的斜視図である。この表示装置Ａは図１と同様に構成されており、前キャビネット１２における上辺部の枢支側には、凸状の被取付部１２ｃが設けられ、反枢支側の側辺部上部には凹状の被取付部１２ｄが設けられている。後キャビネット２３における上辺部の枢支側には、凸状の被取付部２３ｂが設けられ、反枢支側の側辺部上部には凹状の被取付部２３ｃが設けられている。
【００５６】
防塵具Ｂは、複数本の柱形部材５４ａ〜５４ｃを伸縮を可能に連結してなる二つの保持体５４，５４と、保持体５４，５４夫々の柱形部材５４ａ〜５４ｃに結合してある被覆シート４とを備える。
【００５７】
保持体５４は、パイプからなる大径の柱形部材５４ａと、該柱形部材５４ａ内に摺動可能に嵌入されたパイプからなる中径の柱形部材５４ｂと、該柱形部材５４ｂ内に摺動可能に嵌入された小径の柱形部材５４ｃとを有し、大径の柱形部材５４ａの基端部に、被取付部１２ｃ又は２３ｂに嵌合係止される凹状の第２取付部５４ｄが設けられ、小径の柱形部材５４ｃの先端部に、被取付部１２ｄ又は２３ｃに嵌合係止される凸状の第３取付部５４ｅが設けられている。
【００５８】
被覆シート４は柔軟性、及び透光性を有する合成樹脂シートであり、上シート部４１と横シート部４２とにより断面略Ｌ字形に形成されている。
【００５９】
上シート部４１の非連なり辺の一つは一方の保持体５４における柱形部材５４ａ〜５４ｃの非嵌入部に溶着等の結合手段により結合され、他の一つは他方の保持体５４における柱形部材５４ａ〜５４ｃの非嵌入部に溶着等の結合手段により結合されている。
【００６０】
表示装置Ａのメンテナンスが行われる際、表示部１及び光源２が非回動の状態で前キャビネット１２及び後キャビネット２３に防塵具Ｂが取付けられる。
【００６１】
一方の保持体５４の第２取付部５４ｄを、前キャビネット１２の被取付部１２ｃに嵌合係止し、第３取付部５４ｅを被取付部１２ｄに嵌合係止することにより、一方の保持体５４を前キャビネット１２に取付けることができる。また、他方の保持体５４の第２取付部５４ｄを、後キャビネット２３の被取付部２３ｂに嵌合係止し、第３取付部５４ｅを被取付部２３ｃに嵌合係止することにより、他方の保持体５４を後キャビネット２３に取付けることができる。この際、保持体５４は伸縮が可能であるため、表示装置Ａの大きさに対応して保持体５４の長さを調整することができる。
【００６２】
表示装置Ａのランプ交換等のメンテナンスを行うべく表示部１を光源２に対して前方へ回動させ、表示部１を開くと、被覆シート４に張力が加わり、該被覆シート４が広がり、表示部１と光源２との間の開放空間を被覆することができ、外部の塵埃が前記開放空間に侵入するのを防ぐことができる。この状態で被覆シート４の下部を上方へめくりつつ前記開放空間へ作業者が入り、ランプ交換等のメンテナンスを行うことができる。
【００６３】
メンテナンスの終了後、表示部１を後方へ回動させると被覆シート４をすぼませることができ、二つの保持体５４，５４同士が平行的に並ぶ。表示部１が閉じられた後、保持体５４，５４の係止を解除することにより、表示部１が閉じられた状態で保持体５４，５４を取外すことができる。
その他の構成及び作用は実施の形態１と同様であるため、同様の部品については同じ符号を付し、その詳細な説明及び作用効果の説明を省略する。
【００６４】
実施の形態４
図１２は防塵具Ｂが取付けられた表示装置Ａの他の構成を示す模式的平面図である。この表示装置Ａは伸縮を可能とした保持体５４，５４を前キャビネット１２及び後キャビネット２３に個別に装着する構成とする代わりに、伸縮を可能とした保持体５４，５４を、表示部１及び光源２を枢支する枢支部１０と同芯上に枢支する構成としたものである。
【００６５】
前キャビネット１２又は後キャビネット２３の枢支部１０と同芯上には枢支凸部２０が設けられており、また、前キャビネット１２及び後キャビネット２３の側辺部の上部には被取付部１２ｄ，２３ｃが設けられている。
【００６６】
複数本の柱形部材５４ａ〜５４ｃの伸縮を可能に連結してなる二つの保持体５４，５４の基端部には、枢支凸部２０が嵌入される嵌合孔を有するフランジ５４ｆが突設されており、また、先端部には第３取付部５４ｅが設けられている。
【００６７】
表示装置Ａのメンテナンスが行われる際、表示部１及び光源２が非回動の状態で前キャビネット１２及び後キャビネット２３に防塵具Ｂが取付けられる。
【００６８】
二つの保持体５４，５４におけるフランジ５４ｆの嵌合孔に枢支凸部２０を嵌入し、一方の保持体５４の第３取付部５４ｅを被取付部１２ｄに嵌合係止し、他方の保持体５４の第３取付部５４ｅを被取付部２３ｃに嵌合係止することにより、二つの保持体５４，５４を前キャビネット１２、後キャビネット２３に取付けることができる。この際、保持体５４，５４は伸縮が可能であるため、表示装置Ａの大きさに対応して保持体５４，５４の長さを調整することができる。
その他の構成及び作用は実施の形態１、３と同様であるため、同様の部品については同じ符号を付し、その詳細な説明及び作用効果の説明を省略する。
【００６９】
実施の形態５
図１３は防塵具Ｂが取付けられた表示装置Ａの他の構成を示す模式的斜視図、図１４は被覆シートが収納される状態を示す説明図である。この表示装置Ａは防塵具Ｂを前キャビネット１２及び後キャビネット２３の外側に取付ける代わりに、後キャビネット２３の内側に防塵具Ｂを備える構成としたものである。
【００７０】
後キャビネット２３の上辺部の内側には溝状の収納部２５が設けられ、後キャビネット２３の側辺部の内側には、収納部２５の一端に連なる溝状の収納部２６が設けられており、各収納部２５，２６に被覆シート４を図１４に示すようにしぼませて収納してある。
【００７１】
被覆シート４は柔軟性、及び透光性を有する合成樹脂シートであり、上シート部４１と横シート部４２とにより断面略Ｌ字形に形成されている。
【００７２】
上シート部４１の非連なり辺の一つは、後キャビネット２３の上辺部内側に設けられている収納部２５内に溶着等の結合手段により結合され、他の一つは前キャビネット１２の上辺部の内側に結合されている。
【００７３】
横シート部４２の連なり部と隣合う二辺の一つは、後キャビネット２３の側辺部内側に設けられている収納部２６内に溶着等の結合手段により結合され、他の一つは前キャビネット１２の側辺部内側に結合されている。
【００７４】
表示装置Ａのランプ交換等のメンテナンスを行うべく表示部１を光源２に対して前方へ回動させ、表示部１を開くと、被覆シート４に張力が加わり、被覆シート４が展開され、表示部１と光源２との間の開放空間を被覆することができ、外部の塵埃が前記開放空間に侵入するのを防ぐことができる。この状態で被覆シート４の下部を上方へめくりつつ前記開放空間へ作業者が入り、ランプ交換等のメンテナンスを行うことができる。
【００７５】
メンテナンスの終了後、表示部１を後方へ回動させると、被覆シート４を図１４に示すようにすぼませることができ、該被覆シート４の上シート部４１を収納部２５に、また、横シート部４２を収納部２６夫々に手動で収納することができる。
その他の構成及び作用は実施の形態１と同様であるため、同様の部品については同じ符号を付し、その詳細な説明及び作用効果の説明を省略する。
【００７６】
実施の形態６
図１５は防塵具Ｂが取付けられた表示装置Ａの他の構成を示す模式的斜視図である。この表示装置Ａは、後キャビネット２３の内側に収納する被覆シート４の複数部位に結合してある可撓杆５５を設け、該可撓杆５５の一端を収納部２５，２６の境界部に結合し、他端を前キャビネット１２における上辺部の反枢支側端部に結合したものである。
【００７７】
後キャビネット２３には収納部２５，２６が設けられている。
被覆シート４は柔軟性、及び透光性を有する合成樹脂シートであり、上シート部４１と横シート部４２とにより断面略Ｌ字形に形成されている。
【００７８】
上シート部４１の非連なり辺の一つは、後キャビネット２３の上辺部内側に設けられている収納部２５内に溶着等の結合手段により結合され、他の一つは前キャビネット１２の上辺部の内側に結合されている。
【００７９】
横シート部４２の連なり部と隣合う二辺の一つは、後キャビネット２３の側辺部内側に設けられている収納部２６内に溶着等の結合手段により結合され、他の一つは前キャビネット１２の側辺部内側に結合されている。
【００８０】
可撓杆５５は合成樹脂製の紐状に形成され、略Ｕ字形に屈曲させた状態で収納部２６に横シート部４２とともに収納されている。
【００８１】
表示装置Ａのランプ交換等のメンテナンスを行うべく表示部１を光源２に対して前方へ回動させ、表示部１を開くと、可撓杆５５に張力が加わって伸長し、被覆シート４が展開され、表示部１と光源２との間の開放空間を被覆することができ、外部の塵埃が前記開放空間に侵入するのを防ぐことができる。この状態で被覆シート４の下部を上方へめくりつつ前記開放空間へ作業者が入り、ランプ交換等のメンテナンスを行うことができる。
【００８２】
メンテナンスの終了後、表示部１を後方へ回動させると、可撓杆５５が撓みつつ略Ｕ字形に屈曲し、被覆シート４をすぼませることができ、該被覆シート４の上シート部４１を収納部２５に、また、横シート部４２を収納部２６夫々に手動で収納することができる。
その他の構成及び作用は実施の形態１、５と同様であるため、同様の部品については同じ符号を付し、その詳細な説明及び作用効果の説明を省略する。
【００８３】
尚、以上説明した実施の形態の防塵具Ｂは、後キャビネット２３に取付けられるケース６１及び第２ケース６２と、前キャビネット１２に取付けられるシート止部材８１，８２とを備える構成としたが、その他、シート止部材８１，８２をなくし、後キャビネット２３及び前キャビネット１２の一方にケース６１及び第２ケース６２を取付け、他方に対してはメンテナンスが行われる際に被覆シート４の一部を引掛け等の係止手段により結合、又は両面テープ等の仮固定手段により仮固定する構成としてもよい。
【００８４】
また、本発明に係る表示装置Ａはスタンド４を備える床置きタイプである他、凹所を有する壁体の前記凹所に取付けられる埋込タイプ、または、凹所を有しない平面の壁体に取付けられる壁掛けタイプであってもよい。
【００８５】
また、本発明に係る表示装置Ａは液晶テレビジョン等の薄型液晶表示装置である他、薄型プラズマ表示装置、ＥＬディスプレィ等の表示装置Ａであってもよい。
【図面の簡単な説明】
【００８６】
【図１】本発明に係る表示装置の表示部及び支持部が相対回動している状態を示す模式的斜視図である。
【図２】本発明に係る表示装置の防塵具が取付けられる部位の構造を示す断面図である。
【図３】本発明に係る防塵具の構成を示す模式的斜視図である。
【図４】本発明に係る防塵具の構成を示す模式的分解斜視図である。
【図５】本発明に係る防塵具の表示装置に取付けられる部位の構造を示す断面図である。
【図６】本発明に係る表示装置に防塵具を取付けてある状態を示す模式的斜視図である。
【図７】本発明に係る防塵具と表示装置の光源との関係を示す模式的正面図である。
【図８】本発明に係る防塵具が取付けられた表示装置の他の構成を示す模式的斜視図である。
【図９】本発明に係る表示装置の他の構成を示す模式的斜視図である。
【図１０】本発明に係る防塵具の他の構成を示す模式的正面図である。
【図１１】本発明に係る防塵具が取付けられた表示装置の他の構成を示す模式的斜視図である。
【図１２】本発明に係る防塵具が取付けられた表示装置の他の構成を示す模式的平面図である。
【図１３】本発明に係る防塵具が取付けられた表示装置の他の構成を示す模式的斜視図である。
【図１４】本発明に係る表示装置に被覆シートが収納される状態を示す説明図である。
【図１５】本発明に係る防塵具が取付けられた表示装置の他の構成を示す模式的斜視図である。
【符号の説明】
【００８７】
Ａ    表示装置
Ｂ    防塵具
１    表示部
１１ａ  表示面
１２  前キャビネット
１２ｃ，１２ｄ  被取付部
２    光源（支持部）
２３  後キャビネット
２３ａ，２３ｂ，２３ｃ  被取付部
４    被覆シート
５１  ロール（保持体）
５２  第２ロール（保持体）
５３  杆部材（保持体）
５４  保持体
５４ａ，５４ｂ，５４ｃ  柱形部材
５４ｄ，５４ｅ  取付部
５５  可撓杆
６１，６３  ケース
６１ａ  取付部
６２  第２ケース
７    付勢バネ
８１，８２  シート止部材
【図１】
2009272950.tif 000003
【図２】
2009272950.tif 000004
【図３】
2009272950.tif 000005
【図４】
2009272950.tif 000006
【図５】
2009272950.tif 000007
【図６】
2009272950.tif 000008
【図７】
2009272950.tif 000009
【図８】
2009272950.tif 000010
【図９】
2009272950.tif 000011
【図１０】
2009272950.tif 000012
【図１１】
2009272950.tif 000013
【図１２】
2009272950.tif 000014
【図１３】
2009272950.tif 000015
【図１４】
2009272950.tif 000016
【図１５】
2009272950.tif 000017